(57)【要約】【課題】端末装置およびストレージサーバを備えたデータ伝送システムにおける新規なアプリケーションを提供する。【解決手段】本発明のデータ伝送システム１においては、端末装置１０間のデータ伝送に際して、ストレージサーバ４０にもマルチキャストすることにより、ストレージサーバ４０が、端末装置１０間で伝送されるデータを逐次記録することが可能となる。また、データ伝送システム１においては、高解像度の動画像データに対して、受信側の端末装置１０のディスプレイ１４のサイズに応じて適切な画像処理を施すことで、バーチャルなカメラ制御を可能とするデータ伝送を実現することができる。【選択図】      図１
2004357044.tif 000002
【特許請求の範囲】
【請求項１】
ネットワークを介して接続される複数の端末装置とストレージサーバとを備えたデータ伝送システムであって、
端末装置は、他の端末装置およびストレージサーバに対して同時に画像データを送信し、他の端末装置およびストレージサーバは画像データを受信し、ストレージサーバは、受信した画像データを記録することを特徴とするデータ伝送システム。
【請求項２】
ＩＰネットワークを介して接続される複数の端末装置とストレージサーバとを備えたデータ伝送システムであって、少なくとも１つの端末装置は、画像入力装置および音声入力装置を有しており、
第１の端末装置は、自身の画像入力装置および音声入力装置から取得したＡＶデータを、第２の端末装置およびストレージサーバにマルチキャストし、
ストレージサーバは、受信したＡＶデータを記録することを特徴とするデータ伝送システム。
【請求項３】
端末装置は、画像出力装置および音声出力装置を有し、
第１の端末装置および第２の端末装置は、それぞれの画像入力装置および音声入力装置から取得したＡＶデータを、他方の端末装置およびストレージサーバにそれぞれマルチキャストし、
第１の端末装置および第２の端末装置は、他方の端末装置から送信されたＡＶデータを、それぞれの画像出力装置および音声出力装置から出力し、
ストレージサーバは、第１の端末装置および第２の端末装置から送信されたＡＶデータを記録することを特徴とする請求項２に記載のデータ伝送システム。
【請求項４】
第１の端末装置および第２の端末装置は、送信するＡＶデータにタイムスタンプをそれぞれ付加することを特徴とする請求項３に記載のデータ伝送システム。
【請求項５】
ストレージサーバは、タイムスタンプをもとに、複数の端末装置から送信されるＡＶデータを合成することを特徴とする請求項４に記載のデータ伝送システム。
【請求項６】
ストリーミング配信された動画像データを受信する受信部と、
受信した動画像データを表示する表示部と、
表示部に表示した動画像における任意の領域を指定するためのユーザインタフェースと、
指定された領域を表示部に拡大表示する画像処理部と、
を備えることを特徴とする端末装置。
【請求項７】
前記受信部が受信する動画像データの解像度は、表示部の解像度よりも高いことを特徴とする請求項６に記載の端末装置。
【請求項８】
ネットワークを介して接続される端末装置とストレージサーバとを備えたデータ伝送システムであって、ストレージサーバは、端末装置の表示部の解像度よりも高い解像度をもつ動画像データを格納しており、
端末装置がストレージサーバに対して画像処理に関する指示を行うと、ストレージサーバは、その指示に基づいて動画像データに画像処理を施して、端末装置に送信することを特徴とするデータ伝送システム。
【請求項９】
ストレージサーバは、動画像データを、端末装置の表示部の解像度に合わせて縮小して送信することを特徴とする請求項８に記載のデータ伝送システム。
【請求項１０】
端末装置は、表示部に表示した動画像の任意の領域または方向を指定した指示をストレージサーバに送信し、
ストレージサーバは、その指示に基づいて、指定された動画像データの任意の領域を切り取った動画像データ、または指定された方向の領域を切り取った動画像データを、端末装置に送信することを特徴とする請求項９に記載のデータ伝送システム。
【発明の詳細な説明】
【０００１】
【発明の属する技術分野】
本発明は、ネットワーク上で動画像データを伝送する技術に関する。
【０００２】
【従来の技術】
インターネットの普及に伴い、様々な情報流通サービスが台頭し、通信ネットワークの大容量化および高性能化が実現されるようになってきた。インターネット技術は、音楽や動画像の配信など幅広い分野にわたって応用され、我々のライフスタイルを大きく変化させている。回線の高速化への需要は高く、最近ではケーブルテレビ（ＣＡＴＶ：ｃｏｍｍｕｎｉｔｙ  ａｎｔｅｎｎａ  ｔｅｌｅｖｉｓｉｏｎ）用に敷設された光ファイバを利用して、ブロードバンドネットワークを構築することも一般に行われるようになっており、また特定の地域や建物においてネットワーク用に新規に光ファイバを敷設することも行われるようになっている。
【０００３】
【特許文献１】
特開２００３−９１１２号公報
【０００４】
【発明が解決しようとする課題】
動画像データの高速伝送を可能とすることで、ユーザは劣化のない動画像を楽しむことができる。現在、ＤＶ（デジタルビデオ）の高画質動画像データをインターネットを介して送受信するべく、様々なソフトウェアの開発が進められているが、その方向性は、いかにデータ伝送の高速化を実現するかという点に注力されており、アプリケーションレベルの研究には、まだ改善および検討の余地がある。
【０００５】
本発明は、通信ネットワークにおいて実現する新規なシステムおよびアプリケーションを提供することを目的とする。なお、本発明によるシステムおよびアプリケーションは、光ファイバなどにより構築されるブロードバンドネットワーク上で実現されることが好ましいが、本発明はそれに限定するものではなく、無線ネットワーク上で実現されてもよい。
【０００６】
【課題を解決するための手段】
上記課題を解決するために、本発明のある態様は、ネットワークを介して接続される複数の端末装置とストレージサーバとを備えたデータ伝送システムに関する。端末装置は、他の端末装置およびストレージサーバに対して同時に画像データを送信し、他の端末装置およびストレージサーバは画像データを受信し、ストレージサーバは、受信した画像データを記録する。ストレージサーバは、他の端末装置およびストレージサーバに対して同時に送信された画像データを記録することで、他の端末装置に対して送信された画像データと真に同一の画像データを記録することが可能となる。
【０００７】
本発明の別の態様は、ＩＰネットワークを介して接続される複数の端末装置とストレージサーバとを備えたデータ伝送システムに関する。この態様のデータ伝送システムにおいて、少なくとも１つの端末装置は、画像入力装置および音声入力装置を有する。第１の端末装置は、自身の画像入力装置および音声入力装置から取得したＡＶ（オーディオビジュアル）データを、第２の端末装置およびストレージサーバにマルチキャストし、ストレージサーバは、受信したＡＶデータを記録する。ストレージサーバは、第２の端末装置およびストレージサーバに対してマルチキャストされたＡＶデータを記録することで、第２の端末装置に対して送信されたＡＶデータと真に同一のＡＶデータを記録することが可能となる。
【０００８】
端末装置は、画像出力装置および音声出力装置を有し、第１の端末装置および第２の端末装置は、それぞれの画像入力装置および音声入力装置から取得したＡＶデータを、他方の端末装置およびストレージサーバにそれぞれマルチキャストし、第１の端末装置および第２の端末装置は、他方の端末装置から送信されたＡＶデータを、それぞれの画像出力装置および音声出力装置から出力し、ストレージサーバは、第１の端末装置および第２の端末装置から送信されたＡＶデータを記録してもよい。これにより、ストレージサーバが、ＴＶ電話システムなどにおける会話内容を画像とともに正確に記録することが可能となる。
【０００９】
第１の端末装置および第２の端末装置は、送信するＡＶデータにタイムスタンプをそれぞれ付加してもよい。ストレージサーバは、アーカイブ機能を有し、タイムスタンプをもとに、複数の端末装置から送信されるＡＶデータを合成してもよい。
【００１０】
本発明のさらに別の態様は、ストリーミング配信された動画像データを受信する受信部と、受信した動画像データを表示する表示部と、表示部に表示した動画像における任意の領域を指定するためのユーザインタフェースと、指定された領域を表示部に拡大表示する画像処理部とを備える端末装置を提供する。この態様の端末装置によると、バーチャルなカメラ制御機能を端末装置で実現することが可能となる。受信部が受信する動画像データの解像度は、表示部の解像度よりも高いことが好ましい。
【００１１】
本発明のさらに別の態様は、ネットワークを介して接続される端末装置とストレージサーバとを備えたデータ伝送システムに関する。この態様のデータ伝送システムにおいて、ストレージサーバは、端末装置の表示部の解像度よりも高い解像度をもつ動画像データを格納しており、端末装置がストレージサーバに対して画像処理に関する指示を行うと、ストレージサーバは、その指示に基づいて動画像データに画像処理を施して端末装置に送信する。この態様のデータ伝送システムによると、バーチャルなカメラ制御機能をストレージサーバで実現することが可能となる。
【００１２】
ストレージサーバは、動画像データを、端末装置の表示部の解像度に合わせて縮小して送信することが好ましい。端末装置は、表示部に表示した動画像の任意の領域または方向を指定した指示をストレージサーバに送信し、ストレージサーバは、その指示に基づいて、指定された動画像データの任意の領域を切り取った動画像データ、または指定された方向の領域を切り取った動画像データを、端末装置に送信してもよい。
【００１３】
なお、上記の発明の概要は、本発明の必要な特徴の全てを列挙したものではなく、これらの特徴の組合わせも又発明となりうる。
【００１４】
【発明の実施の形態】
＜第１の実施の形態＞
図１は、本発明の第１の実施の形態に係るデータ伝送システム１の構成を示す。データ伝送システム１は、複数の端末装置１０ａ、１０ｂ、ストレージサーバ４０およびディレクトリサーバ５０を備える。端末装置１０ａは、データの送受信処理を行う処理装置１２ａ、画像出力装置であるディスプレイ１４ａ、音声出力装置であるスピーカ１６ａ、画像入力装置であるカメラ１８ａ、および音声入力装置であるマイク２０ａを備える。同様に、端末装置１０ｂも、処理装置１２ｂ、ディスプレイ１４ｂ、スピーカ１６ｂ、カメラ１８ｂおよびマイク２０ｂを備える。以下、端末装置を総称する場合は、「端末装置１０」と呼ぶ。複数の端末装置１０、ストレージサーバ４０およびディレクトリサーバ５０は、ネットワーク３０を介して接続される。ネットワーク３０は、ＩＰ（インターネットプロトコル）ネットワークの形態をとってよく、有線または無線のいずれの形式または組み合わせた形式で構築されてもよい。なお、高速通信を実現するためには、ネットワーク３０は、光ファイバなどによりブロードバンドネットワークとして構築されることが好ましいが、本実施の形態は、それに限定するものではない。
【００１５】
データ伝送システム１は、様々な用途において利用されることが可能である。例えば、端末装置１０ａのユーザと端末装置１０ｂのユーザとが、それぞれのカメラ１８およびマイク２０を用いて自身の映像および音声を相手方に伝送し、またディスプレイ１４およびスピーカ１６を用いて相手方の映像および音声を出力することにより、データ伝送システム１をＴＶ電話システムや遠隔会議システムとして利用することができる。このシステムを応用すると、例えば、医療の現場において医者と患者を繋いだカウンセリングシステムを構築することができ、また教育の現場では先生と生徒を繋いだ授業視聴システムを構築することができる。特に、ネットワーク３０の大容量化および高速化を実現することにより、大容量のＡＶデータをリアルタイムで相手方に伝送することができ、受け手側は、高画質のライブ映像および音声を視聴することが可能となる。
【００１６】
このような特徴に加えて、本実施の形態に係るデータ伝送システム１においては、ストレージサーバ４０が、端末装置１０間で伝送されるＡＶデータを記録する。ストレージサーバ４０は、例えば端末装置１０のユーザ以外の第三者機関により管理されることが好ましい。第三者機関が管理することにより、ストレージサーバ４０が記録するＡＶデータを改竄することは困難となり、記録しているＡＶデータが端末装置１０間で真に伝送されたものであることの信頼性が高くなる。例えば、端末装置１０ａのユーザが、端末装置１０ｂのユーザと過去に対話した内容を確認したい場合、端末装置１０ｂのユーザが当時の対話内容を記録していたとしても、端末装置１０ａのユーザは、その記録内容を完全に信用することは難しい。特に互いの利害が交錯する場合は、端末装置１０ａのユーザは、当時の記録を端末装置１０ｂのユーザから提供されたくないという思いがある。また、端末装置１０ａのユーザおよび端末装置１０ｂのユーザがそれぞれ当時の対話内容を記録していても、それぞれが改竄することは容易であるため、後に争いの原因にもなりかねない。
【００１７】
そのような実情の下、データ伝送システム１では、ストレージサーバ４０が、中立な立場にある第三者機関により管理、運営されることが好ましい。この第三者機関は、一種の認証機関として機能することもできる。データ伝送システム１では、端末装置１０間で伝送するＡＶデータを確実に記録するため、各端末装置１０が、ＡＶデータを相手方の端末装置１０とストレージサーバ４０にマルチキャストする。ＡＶデータをマルチキャストすることにより、ネットワーク３０においてＡＶデータは、相手方の端末装置とストレージサーバ４０に同時に送信されることになる。すなわち、送信側の端末装置１０が送信するパケットは１つであるため、ストレージサーバ４０は、受信側の端末装置１０が受信したパケットと完全に同一のパケットを記録することが可能となる。
【００１８】
ユニキャストによりＡＶデータを相手方の端末装置１０とストレージサーバ４０の両者に別個に送信する場合を想定すると、送信側の端末装置１０は、ストレージサーバ４０に送信する信号を改竄することが可能であるため、ストレージサーバ４０で記録したＡＶデータが、受信側の端末装置１０に送信されたＡＶデータと真に同一であることを保証することができない。一方、ブロードキャストによりＡＶデータを送信する場合を想定すると、ネットワーク３０の帯域幅を無用に浪費するため好ましくない。また、マルチキャストと比較すると、ブロードキャストの方が一般にセキュリティは低くなる。以上のことから、送信側の端末装置１０が、受信側の端末装置１０およびストレージサーバ４０にＡＶデータをマルチキャストすることで、セキュリティの向上およびデータの信頼性を実現できる。以下、データ伝送システム１の具体的な動作例を示す。
【００１９】
図２は、端末装置１０の処理装置１２の構成を示す。処理装置１２は、データ取得部１００、データ出力部１０２、接続指示部１０４、ユーザインタフェース１０６および送受信部１０８を備え、通信先の設定機能および通信先とのＡＶデータの送受信機能を実現する。ユーザインタフェース１０６は、キーボードやマウスなどのツールであってよい。なおディスプレイ１４にＴＶを利用する場合、ユーザインタフェース１０６はＴＶのリモコンであってもよい。ＴＶのリモコンをユーザインタフェース１０６として採用することで、幅広いユーザ層が違和感なく入力指示を行うことができ、ユーザ利便性を向上することができる。
【００２０】
まず端末装置１０は、ネットワーク３０を介してディレクトリサーバ５０に接続する。ディレクトリサーバ５０に既に複数の端末装置が接続していると、ディレクトリサーバ５０は、現在接続している端末装置のリストを端末装置１０に送信する。このリストは、新たな端末装置が接続するたびに更新される。リストは、送受信部１０８を介してデータ出力部１０２に伝達され、データ出力部１０２は、リストをディスプレイ１４に表示させる。ユーザは、ユーザインタフェース１０６を用いて、リストから接続確立を要求する端末装置を指定する。なお、指定できる端末装置の数は１つに限らず、複数であってよい。接続指示部１０４は、指定された端末装置を特定する情報を送受信部１０８からディレクトリサーバ５０に送信する。ディレクトリサーバ５０は、指定された端末装置とストレージサーバ４０とをマルチキャストグループとして設定する。ネットワーク３０上で信号を中継するルータは、マルチキャストルーティングプロトコルを用いて、端末装置１０間の経路と、端末装置１０とストレージサーバ４０との経路を設定する。これにより、送信側の端末装置１０から受信側の端末装置１０への経路と、送信側の端末装置１０からストレージサーバ４０への経路とが設定されることになる。複数の端末装置１０間で双方向通信を行う場合は、端末装置１０間の双方向の経路と、それぞれの端末装置１０からストレージサーバ４０への経路とが設定されることになる。なお、マルチキャストの設定は、上記の例に限定するものではなく、その他の方法により行ってもよい。
【００２１】
図３は、２つの端末装置１０ａおよび１０ｂ間で双方向通信する場合のデータ伝送経路を示す。端末装置１０ａは、端末装置１０ｂおよびストレージサーバ４０にデータをマルチキャストし、同様に端末装置１０ｂは、端末装置１０ａおよびストレージサーバ４０にデータをマルチキャストする。端末装置１０ａおよび１０ｂ間の伝送経路は同一であってもよい。
【００２２】
図２に戻って、接続が確立すると、データ取得部１００は、カメラ１８から画像信号を取得し、マイク２０から音声信号を取得して、ＡＶデータを生成する。このとき、データ取得部１００は、供給されるクロック信号をもとに、タイムスタンプを付加してＡＶデータを生成する。ＴＶ電話システムとして利用される場合、カメラ１８は、ユーザの動きを画像としてとらえ、またマイク２０は、ユーザの声をとらえる。ＡＶデータは送受信部１０８から、通信先の端末装置およびストレージサーバ４０に送信される。同時に、送受信部１０８は、通信先の端末装置からＡＶデータを受信し、データ出力部１０２に供給する。データ出力部１０２は、受信したＡＶデータをディスプレイ１４およびスピーカ１６に供給して出力する。このとき、通信先の端末装置からのＡＶデータは、ストレージサーバ４０にもマルチキャストされている。
【００２３】
ストレージサーバ４０は、マルチキャストされたＡＶデータを、それぞれの端末装置１０から受信し記録する。このとき、ストレージサーバ４０は、同一のマルチキャストグループに属する複数の端末装置１０から送信されるＡＶデータを互いに対応付けて記録する。特に、複数のユーザ間のＴＶ電話を記録する場合には、それぞれのＡＶデータの時間関係を適切に対応付ける必要がある。ストレージサーバ４０は、ＡＶデータに付加されたタイムスタンプをもとに、複数のＡＶデータを合成してもよい。このようなアーカイブ機能を備えることにより、複数のＡＶデータを一つの動画像データとして保存することができる。
【００２４】
＜第２の実施の形態＞
第２の実施の形態では、端末装置１０の画像処理に関するアプリケーションを示す。データ伝送システム１の全体構成は、図１に示したものと同様である。第２の実施の形態では、図１を参照して、端末装置１０ａを送信側、端末装置１０ｂを受信側とする。例えば、端末装置１０ａは教育施設に配置され、カメラ１８ａやマイク２０ａは、先生の授業中の光景および音声を取得する。カメラ１８ａの画面サイズすなわち解像度は高く設定され、具体的には受信側の端末装置１０ｂにおけるディスプレイ１４ｂの解像度よりも高いことが好ましい。これは、ネットワーク３０を光ファイバなどにより構築し、伝送するデータ量の大きさに十分な余裕がある場合に、特に好ましい。
【００２５】
図４は、受信側の端末装置１０の処理装置１２の構成を示す。受信側の処理装置１２は、送受信部２００、画像処理部２０２、データ出力部２０４、およびユーザインタフェース２０６を備え、ストリーミング配信されたＡＶデータを画像処理する機能を実現する。なお図４の例では、ＡＶデータのうち、動画像データを処理する構成を示している。送受信部２００は、送信側の端末装置からＡＶデータを受信する。画像処理部２０２は、サイズの大きい動画像データをディスプレイ１４のサイズに合わせて縮小し、データ出力部２０４が、縮小した動画像データをディスプレイ１４に出力する。ディスプレイ１４には、所定の間隔でデータを間引いた粗い画像が表示されることになる。
【００２６】
ユーザはユーザインタフェース２０６を用いて、ディスプレイ１４に表示された動画像において任意の領域を指定する。画像処理部２０２は、受信した動画像データから、指定された領域を切り取り、その領域をディスプレイ１４に拡大表示する。送信される動画像データをディスプレイ１４に表示する場合には、データを間引いて表示することになるが、切り取った一部の領域のみをディスプレイ１４に表示する場合には、間引く量を減らす又はなくすることができるため、高画質な動画像を期待することができる。これは、カメラのバーチャルなズーム機能と呼ぶことができ、受信側の端末装置１０では、ストリーミング配信された動画像データの任意の領域を、高画質でズームアップして見ることが可能となる。
【００２７】
なお、第２の実施の形態では、送信される動画像データは、フレーム間圧縮のされていない動画像データ、例えばＤＶ（デジタルビデオ）形式のデータであることが好ましい。ＭＰＥＧなどのフレーム間圧縮を施されたデータの場合は、画像処理に遅延が生じるため、ユーザインタフェース２０６により任意の領域を指定しても、その指定が即座に表示画像に反映されない。ユーザがある箇所を詳細に見ようと思い、ズームアップしたとしても、対象とする映像が動画像であるため、詳細に見ようと思う箇所が移動していることも想定される。フレーム間圧縮のない動画像データを利用することにより、フレーム処理遅延は大幅に低減され、ユーザの指定をリアルタイムに表示画像に反映することが可能となる。なお、送受信部２００が受信する動画像データは、他の端末装置からライブ映像として送信されるものであってもよいが、ストレージサーバ４０からストリーミング配信されるものであってもよい。
【００２８】
図５（ａ）は、ディスプレイ１４の表示画像の一例を示す。この表示画像には、先生が黒板を前に授業を行っている様子が映し出されている。送信側においてカメラは固定され、黒板および先生を含んだ全体の画像を取得できるように設置されている。この動画像データが、複数の生徒の端末装置１０に送信される。カメラには全体の画像が入力されるため、生徒によっては、注視したい画像が異なる。生徒は、ユーザインタフェース２０６を用いて、例えば図５（ａ）に点線で示すように、任意の注視したい領域を指定する。
【００２９】
図５（ｂ）は、指定した領域のディスプレイ１４の表示画像の一例を示す。指定した領域を高画質で拡大表示することにより、生徒は黒板の文字を読めることとなる。このように、各生徒は、カメラを制御することなく、端末装置１０側で画像処理を行うことによって、あたかもカメラを動作制御するのと同等の感覚を味わうことができ、したがって、バーチャルなカメラ制御を実現することができる。
【００３０】
＜第３の実施の形態＞
第３の実施の形態では、ストレージサーバ４０の画像処理に関するアプリケーションを示す。データ伝送システム１の全体構成は、図１に示したものと同様である。第３の実施の形態では、図１を参照して、ストレージサーバ４０がＡＶデータを送信し、端末装置１０がそれを受信する。ストレージサーバ４０は、端末装置１０のディスプレイ１４の解像度よりも高い解像度をもつ動画像データを格納している。ストレージサーバ４０と端末装置１０との間の回線が太ければ、大容量の動画像データをストレージサーバ４０から端末装置１０に送信することが可能であるが、回線が細い場合には、データ量を圧縮して送信することが好ましい。そのような場合に、ストレージサーバ４０は、自身が格納する動画像データを画像処理して、端末装置１０に送信する。
【００３１】
具体的に、端末装置１０が、動画像の配信を要求する指示をストレージサーバ４０に送信すると、ストレージサーバ４０は、端末装置１０に対してディスプレイ１４の画面サイズを問い合わせる。端末装置１０はディスプレイ１４の画面サイズをストレージサーバ４０に送信する。
【００３２】
ストレージサーバ４０は、動画像データを、端末装置１０のディスプレイ１４の画面サイズすなわち解像度に合わせて縮小し、縮小した動画像データを端末装置１０に送信する。これにより、端末装置１０は、データ量を削減した動画像データを取得することができる。
【００３３】
端末装置１０のユーザは、ディスプレイ１４に表示された動画像を見て、第２の実施の形態で説明したように画像処理に関する指示を行うことができる。この指示はストレージサーバ４０に送信され、ストレージサーバ４０は、指示に基づいて動画像データに画像処理を施して、端末装置１０に送信する。例えば、端末装置１０から送信される指示は、動画像の任意の領域または方向を指定したものであってよく、ストレージサーバ４０は、その指示に基づいて、指定された動画像データの任意の領域を切り取った動画像データ、または指定された方向の領域を切り取った動画像データを端末装置１０に送信する。第３の実施の形態においては、第２の実施の形態において端末装置１０側で行っていた画像処理を、ストレージサーバ４０側で行わせる。これにより、ストレージサーバ４０から端末装置１０に送信されるデータ量を小さくすることができ、ネットワーク３０の負荷を低減することが可能となる。
【００３４】
以上、本発明を実施の形態をもとに説明したが、本発明の技術的範囲は上記実施の形態に記載の範囲には限定されない。上記実施の形態は例示であり、それらの各構成要素の組合せに、さらにいろいろな変形例が可能なこと、またそうした変形例も本発明の範囲にあることは当業者に理解されるところである。
【００３５】
【発明の効果】
本発明によれば、端末装置間の信号を記録する新規なシステム、および応用性の高いアプリケーションを提供することができる。
【図面の簡単な説明】
【図１】第１の実施の形態に係るデータ伝送システムの構成を示す図である。
【図２】端末装置の処理装置の構成を示す図である。
【図３】２つの端末装置間で双方向通信する場合のデータ伝送経路を示す図である。
【図４】受信側の端末装置の処理装置の構成を示す図である。
【図５】（ａ）はディスプレイの表示画像の一例を示す図であり、（ｂ）は指定した領域のディスプレイの表示画像の一例を示す図である。
【符号の説明】
１・・・データ伝送システム、１０・・・端末装置、１２・・・処理装置、１４・・・ディスプレイ、１６・・・スピーカ、１８・・・カメラ、２０・・・マイク、３０・・・ネットワーク、４０・・・ストレージサーバ、５０・・・ディレクトリサーバ、１００・・・データ取得部、１０２・・・データ出力部、１０４・・・接続指示部、１０６・・・ユーザインタフェース、１０８・・・送受信部、２００・・・送受信部、２０２・・・画像処理部、２０４・・・データ出力部、２０６・・・ユーザインタフェース。
【図１】
2004357044.tif 000003
【図２】
2004357044.tif 000004
【図３】
2004357044.tif 000005
【図４】
2004357044.tif 000006
【図５】
2004357044.tif 000007